(57)【要約】  従来、再生可能エネルギー電源の増加に伴うインピーダンスや送電容量の変化に対応したＦＡＣＴＳ機器や蓄電池を含むデバイスの最適な導入支援が出来ていなかった。そこで本課題を解決する為に本発明は、電力系統に接続する系統機器の導入地点を求める系統機器の導入支援装置において、所定の系統情報及び導入予定の系統機器の情報に基づいて、前記系統機器の導入時に影響を与える前記電力系統の特徴を求め、前記電力系統の特徴に関連する所定の評価指標から、前記系統機器の導入地点を求める演算部を備えることを特徴とする。
2016189676.tif 000002
【特許請求の範囲】
【請求項１】
電力系統に接続する系統機器の導入地点を求める系統機器の導入支援装置において、
所定の系統情報及び導入予定の系統機器の情報に基づいて、前記系統機器の導入時に影響を与える前記電力系統の特徴を求め、前記電力系統の特徴に関連する所定の評価指標から、前記系統機器の導入地点を求める演算部を備える系統機器の導入支援装置。
【請求項２】
請求項１に記載の系統機器の導入支援装置において
前記所定の評価指標には、ネットワーク理論に基づく、発電機群と負荷群間の平均送電可能容量に関する評価指標、又はバスと発電機群間の等価インピーダンスの平均値に関する評価指標の内少なくとも一つを含むことを特徴とする系統機器の導入支援装置。
【請求項３】
請求項１に記載の系統機器の導入支援装置において
前記演算部は、複数の前記系統機器、複数の前記電力系統の特徴、及び複数の前記評価指標について、繰り返し計算することを特徴とする系統機器の導入支援装置。
【請求項４】
請求項３に記載の系統機器の導入支援装置において
前記演算部は、前記繰り返し計算により算出した結果をランキング化し、最も評価値が高くなる導入地点を求めることを特徴とする系統機器の導入支援装置。
【請求項５】
請求項１に記載の系統機器の導入支援装置において
前記電力系統の特徴には、送電線及び母線のインピーダンス又は最大送電電力を含むことを特徴とする系統機器の導入支援装置。
【請求項６】
請求項１に記載の系統機器の導入支援装置において、
前記系統情報には、送電線インピーダンスに関する情報、電力系統トポロジーに関する情報、及び負荷母線と変電所母線と発電所母線とを含む母線分類情報を含むことを特徴とする系統機器の導入支援装置。
【請求項７】
請求項１に記載の系統機器の導入支援装置において、
前記系統機器には、ＦＡＣＴＳ機器、蓄電池、又は太陽光発電の内少なくとも一つを含むことを特徴とする系統機器の導入支援装置。
【請求項８】
請求項１に記載の系統機器の導入支援装置は、
前記導入地点を表示する表示部を更に備え、
前記表示部は、前記系統情報、前記系統機器の情報、及び前記系統機器の種類に応じた導入個数を入力すると、前記演算部で計算された前記系統機器の導入後の電力系統図を表示することを特徴とする系統機器の導入支援装置。
【請求項９】
電力系統に接続する系統機器の導入地点を求める系統機器の導入支援方法において、
所定の系統情報及び導入予定の系統機器の情報に基づいて、前記系統機器の導入時に影響を与える前記電力系統の特徴を求め、前記電力系統の特徴に関連する所定の評価指標から、前記系統機器の導入地点を求めることを特徴とする系統機器の導入支援方法。
【請求項１０】
請求項９に記載の系統機器の導入支援方法において
前記所定の評価指標には、ネットワーク理論に基づく、発電機群と負荷群間の平均送電可能容量に関する評価指標、又はバスと発電機群間の等価インピーダンスの平均値に関する評価指標の内少なくとも一つを含むことを特徴とする系統機器の導入支援方法。
【発明の詳細な説明】
【技術分野】
【０００１】
本発明は、電力系統に接続する系統機器の導入地点を決定する系統機器の設置支援装置及び方法に関する。
【背景技術】
【０００２】
従来、電力システムでは、火力発電など化石燃料を用いた発電方法を中心に電力を供給していたが、近年、気候変動やエネルギーセキュリティの観点から、分散型電源や再生可能エネルギー電源が増加している。しかし、再生可能エネルギー電源の出力は気候に強く依存し、変化しやすい。このため、再生可能エネルギー電源の増加によって、電力品質の低下や安定供給への悪影響が懸念される。【０００３】
これらの問題に対して、ＦＡＣＴＳ（Ｆｌｅｘｉｂｌｅ  ＡＣ  Ｔｒａｎｓｍｉｓｓｉｏｎ  Ｓｙｓｔｅｍ）機器や蓄電池などを含む系統機器（以下、デバイスと表記する）の導入により、電力品質の低下や安定供給への悪影響を緩和することができる。送電線の増設は、費用が高く、増設期間に数年を要する。一方、ＦＡＣＴＳ機器や蓄電池の設置は、送電線増設に比べ安価であり、環境への影響も少ない。【０００４】
電力会社やＴＳＯ（Ｔｒａｎｓｍｉｓｓｉｏｎ  Ｓｙｓｔｅｍｓ  Ｏｐｅｒａｔｏｒ）、ＤＳＯ（Ｄｉｓｔｒｉｂｕｔｉｏｎ  Ｓｙｓｔｅｍｓ  Ｏｐｅｒａｔｏｒ)は、機器の運用情報や電力需要の大きさなど、電力系統の詳細な情報を基に、FACTS機器や蓄電池などの設置場所や導入容量を決定することができる（非特許文献１）。【０００５】
また、複雑ネットワーク理論を基に、「ｎｅｔ−ａｂｉｌｉｔｙ」と「ｅｎｔｒｏｐｙ  ｄｅｇｒｅｅ」という指標を用いて、電力系統の安定度を評価する手法が非特許文献２で示されている。
【先行技術文献】
【非特許文献】
【０００６】
【非特許文献１】Ｗ．Ｚｈａｎｇ、Ｆ．Ｌｉ、ａｎｄ  Ｌ． Ｍ．Ｔｏｌｂｅｒｔ、Ｏｐｔｉｍａｌ  ａｌｌｏｃａｔｉｏｎ  ｏｆ  ｓｈｕｎｔ  ｄｙｎａｍｉｃ  ｖａｒ ｓｏｕｒｃｅ  ＳＶＣ  ａｎｄ  ＳＴＡＴＣＯＭ、Ａ  ｓｕｒｖｅｙ、ｉｎ Ｐｒｏｃ． ２００６  ７ｔｈ  ＩＥＥＥ  Ｉｎｔｅｒｎａｔｉｏｎａｌ  Ｃｏｎｆｅｒｅｎｃｅ  ｏｎ  Ａｄｖａｎｃｅｓ  ｉｎ  Ｐｏｗｅｒ  Ｓｙｓｔｅｍ  Ｃｏｎｔｒｏｌ、Ｏｐｅｒａｔｉｏｎ  ａｎｄ  Ｍａｎａｇｅｍｅｎｔ（ＡＰＳＣＯＭ）．
【０００７】
【非特許文献２】ｅ．Ｂｏｍｐａｒｄ、Ｒ．Ｎａｐｏｌｉ、ａｎｄ  Ｆ．Ｘｕｅ、Ｅｘｔｅｎｄｅｄ  ｔｏｐｏｌｏｇｉｃａｌ  ａｐｐｒｏａｃｈ  ｆｏｒ  ｔｈｅ  ａｓｓｅｓｓｍｅｎｔ  ｏｆ  ｓｔｒｕｃｔｕｒａｌ  ｖｕｌｎｅｒａｂｉｌｉｔｙ  ｉｎ  ｔｒａｎｓｍｉｓｓｉｏｎ  ｎｅｔｗｏｒｋｓ、ＩＥＴ  Ｇｅｎｅｒ．Ｔｒａｎｓｍ．Ｄｉｓｔｒｉｂ．、ｖｏｌ．４、Ｎｏ．６、ｐｐ．７１６−７２４、２０１０．
【発明の概要】
【発明が解決しようとする課題】
【０００８】
しかし、電力系統の詳細な情報は電力会社やＴＳＯ、ＤＳＯにより所有されており、一般には公開されていない。このため、上記以外の機関では、再生可能エネルギー電源の増加に伴う悪影響、およびＦＡＣＴＳ機器や蓄電池などの設置場所や導入容量を評価するのに必要な電力系統の情報を得ることは困難である。【０００９】
また、複雑ネットワーク理論を用いることで、多くの電力系統の情報を必要とする従来の計算方法に代わって、少ない情報で、電力系統の安定度を評価できるが、非特許文献２では、既存の電力系統の安定度を評価する手法のみ言及されており、ＦＡＣＴＳ機器や蓄電池などの設置場所や導入容量を評価する方法については言及されていない。【００１０】
以上より、再生可能エネルギー電源の増加に伴うインピーダンスや送電容量の変化に対応したＦＡＣＴＳ機器や蓄電池を含むデバイスの最適な導入支援が出来ていなかった。
【課題を解決するための手段】
【００１１】
そこで上記課題を解決する為に本発明は、電力系統に接続する系統機器の導入地点を求める系統機器の導入支援装置において、所定の系統情報及び導入予定の系統機器の情報に基づいて、前記系統機器の導入時に影響を与える前記電力系統の特徴を求め、前記電力系統の特徴に関連する所定の評価指標から、前記系統機器の導入地点を求める演算部を備えることを特徴とする。
【発明の効果】
【００１２】
本発明によると、再生可能エネルギー電源の増加に伴うインピーダンスや送電容量の変化に対応したＦＡＣＴＳ機器や蓄電池を含むデバイスの導入地点について、導入時に生ずる系統への影響度を所定の指標で評価することでデバイスの最適な導入支援が可能となる。
【図面の簡単な説明】
【００１３】
【図１】電力を吸収あるいは供給するデバイスを導入するための地点候補を特定するための演算フローチャート例を示す。
【図２】電力を吸収あるいは供給するデバイスを導入する前の電力系統と、導入するデバイスの選択の概念図を示す。
【図３】電力を吸収あるいは供給するデバイスを導入した後の電力系統の概念図を示す。
【図４】本発明の実施例における、演算ハードウェア構成例を示す。
【図５】本発明の実施例における、電力を吸収あるいは供給するデバイスを導入するための地点候補を特定するための演算アルゴリズム例を示す。
【図６】本発明の実施例における、電力を吸収あるいは供給するデバイスを導入するための地点候補を特定するための演算データ例を示す。
【図７】本発明の実施例における、ユーザインターフェース例を示す。
【図８】本発明の実施例における、母線へのデバイス導入による送配電線のインピーダンスへの影響の概念図を示す。
【図９】本発明の実施例における、デバイスの導入による、一つのみ母線種別を持つバスの複数の母線種別を持つバスへの変化の概念図を示す。
【発明を実施するための形態】
【００１４】
以下、本発明の実施形態を図面ともに説明する。なお、以下の実施例は本発明の一形態を示すものであり、本発明は要旨を逸脱しない限り、他の形態を含むものである。
【００１５】
実施例では、図１〜図９を用いて本発明の実施形態を説明する。
【００１６】
まず、本発明による電力を吸収あるいは供給する装置の導入のための地点候補を特定するための演算フローチャート１００の方式例および効果について説明し、次に実施例の演算ハードウェア４００、演算アルゴリズム５００、演算データフォーマット６００について説明し、最後にユーザインターフェース７００の実装例について説明する。
【００１７】
図１は本発明による電力を吸収あるいは供給するデバイスを導入するための地点候補を特定するための演算フローチャート例である。
【００１８】
図１は、デバイスの選択モジュール１１０、デバイスの特徴の選択モジュール１２０、指標の選択モジュール１３０、指標ランキングの計算モジュール１４０、指標に基づく導入地点候補の組み合わせモジュール１５０から構成される。以下、各モジュールでの処理内容について説明する。
【００１９】
図２は、電力を吸収あるいは供給するデバイスを導入する前の電力系統と、導入するデバイスの選択の概念図である。
【００２０】
図２は、発電機母線２００、変電所母線２１０、負荷母線２２０、送電線２３０、電力を吸収あるいは供給するデバイス一覧２４０と、電力を吸収あるいは供給するデバイス一覧２４０内に含まれるデバイス２５０から構成される。図２では、蓄電池やＦＡＣＴＳ機器など、電力を吸収あるいは供給するデバイス２５０の分類について、番号で表記している。また、図２では、電力を吸収あるいは供給するデバイス一覧２４０の中は３種類のデバイス２５０のみであるが、実際にはその数に制限は無い。複雑ネットワーク理論に基づいて、図２に示すように、送電線に流れるすべての電力潮流を考慮するために、発電機母線・変電所母線・負荷母線の母線種別の情報を用いる。
【００２１】
ここで図９に示すように、デバイスの導入９１０によって、一つのみ母線種別を持つバス９００は複数の母線種別を持つバス９２０に変化する。
【００２２】
デバイスの選択モジュール１１０によって、電力を吸収あるいは供給するデバイス２５０を一つずつ選択し、演算フローチャート１００に基づいて、デバイスを導入するための地点候補を特定する。尚、地点候補の特定の演算アルゴリズムについては後述する。
【００２３】
図３は、電力を吸収あるいは供給するデバイスを導入した後の電力系統の概念図である。
【００２４】
演算フローチャート１００の結果の一例として、電力を吸収あるいは供給するデバイス一覧２４０内の３つのデバイス２５０は、それぞれ変電所母線３００、負荷母線３１０、母線間３２０のように導入される。
【００２５】
図４は本発明の実施例における演算ハードウェア構成例である。
【００２６】
演算ハードウェア４００は、デバイスの選択モジュール４１１、デバイスの特徴の選択モジュール４１２、指標の選択モジュール４１３、指標ランキングの計算モジュール４１４、指標に基づく導入地点候補の組み合わせモジュール４１５から構成されるデバイスを導入するための地点候補を特定するデバイス４１０と、演算処理装置４２０、システムメモリ４３０、ディスク記憶装置４４０、オペレーティングシステム４５１、データ４５２、アプリケーション４５３、モジュール４５４、入出力インターフェース４６０、ネットワークインターフェース４７０、リモートコンピュータ４８０、通信バス４９０から構成される。演算処理装置４２０は、デバイスを導入するための地点候補を特定するデバイス４１０から、システムメモリ４３０へデバイスを導入するための地点候補を特定する演算を読みこみ実行するための機能を実現する。さらに、本発明の機能を実現するためのプログラムは、他の記憶媒体から読み込まれるか、またはネットワークを介して他の機器からダウンロードできる。
【００２７】
図５は本発明の実施例における、電力を吸収あるいは供給するデバイスを導入するための地点候補を特定するための演算アルゴリズム例である。
【００２８】
図５は演算アルゴリズム５００のフローチャートを示したものであり、演算開始５０１、演算終了５０２、デバイスの選択演算部５１０、デバイスの特徴の選択演算部５２０、指標の選択演算部５３０、指標ランキングの演算部５４０、全指標演算終了判定部５５０、全特徴演算終了判定部５６０、全デバイス演算終了判定部５７０、指標に基づく導入のための地点候補の組み合わせ演算部５８０から構成される。
【００２９】
以下では、例として、演算アルゴリズム５００に基づいて、電力を吸収あるいは供給するデバイスとして、ＦＡＣＴＳ機器を導入するための地点候補を特定する手法について説明する。
【００３０】
まず、デバイスの選択演算部５１０で電力を吸収あるいは供給するデバイスが選択される。本例では、ＦＡＣＴＳ機器が選択される
【００３１】
次に、デバイスの特徴の演算部５２０で、デバイスの選択演算部５１０で選択されたＦＡＣＴＳ機器によって、影響を受ける送電線と母線の特徴が選択される。本例では、送電線のインピーダンスが選択される
【００３２】
次に、指標の選択演算部５３０で、デバイスの特徴の演算部５２０で選択された送電線と母線の特徴に関連する指標が選択される。本例では、電力系統の全体的な指標として、Ｉｎｃｒｅａｓｅｄ  Ｎｅｔ−Ａｂｉｌｉｔｙ（ＩＮＡ）が選択され、局所的な指標として、Ａｖｅｒａｇｅ−Ｉｍｐｅｄａｎｃｅ（ＡＩ）が選択されたとする。
【００３３】
まず、ＩＮＡについて説明する。母線ｉにＦＡＣＴＳ機器を接続した場合のＩＮＡｉは 数１で求められる。
【００３４】
【数１】
2016189676.tif 000003
数１において、ＮＡは電力系統のＮｅｔ−Ａｂｉｌｉｔｙであり、添字の０とｉは、母線ｉにＦＡＣＴＳ機器を接続する前と接続した後を、それぞれ意味する。
【００３５】
Ｎｅｔ−Ａｂｉｌｉｔｙについては非特許文献２で示されており、数２より求められる。
【００３６】
【数２】
2016189676.tif 000004
数２の各記号は、ＮＧは発電機母線数、ＮＤは負荷母線数、Ｇは電力系統の全発電機母線の集合、Ｄは電力系統の全負荷母線の集合、ｇは発電機母線、ｄは負荷母線、Ｃｇｄは発電機母線ｇから負荷母線ｄへの送電容量、Δｇｄは発電機母線ｇと負荷母線ｄの間の等価インピーダンスを示す。
【００３７】
また、上記のＮｅｔ−Ａｂｉｌｉｔｙは、電力システム内の発電機群と負荷群の間の平均送電可能容量を、ネットワーク理論に基づいて表現した指標である。
【００３８】
図８は、本発明の実施例における、母線へのデバイス導入による送配電線のインピーダンスへの影響の概念図である。母線８００にデバイス８３０を導入することにより、デバイス導入前の送電線インピーダンス８１０が、デバイス導入後の送電線インピーダンス８２０のように変化する（小さくなる）。
【００３９】
送電線のインピーダンスが減少すると、Ｎｅｔ−Ａｂｉｌｉｔｙはより大きな値を取る。デバイスの導入可能な全ての母線について、ＩＮＡを計算し、ＩＮＡが最も大きくなった母線が、デバイスの導入地点候補となる。
【００４０】
Ｃｇｄについては非特許文献２で示されており、数３より求められる。
【００４１】
【数３】
2016189676.tif 000005
数３の各記号は、Ｌは電力系統の全送電線の集合、ｌは送電線、Ｐｌmaxは送電線ｌの最大送電電力、ｆｌｇｄは発電機母線ｇから負荷母線ｄへの送電における送電線ｌの潮流分流係数を示す。
【００４２】
Δｇｄについては非特許文献２で示されており、数４より求められる。
【００４３】
【数４】
2016189676.tif 000006
数４の各記号は、Ｚｇｇは発電機母線ｇの駆動点インピーダンス、Ｚｇｄは発電機母線ｇと負荷母線ｄの伝達インピーダンス、Ｚｄｄは負荷母線ｄの駆動点インピーダンスを示す。
【００４４】
次に、ＡＩについて説明する。母線ｉのＡＩｉは数５より求められる。
【００４５】
【数５】
2016189676.tif 000007
数５の各記号は、ＮＧは発電機母線数、Ｇは電力系統の全発電機母線の集合、ｇは発電機母線を示す。
【００４６】
Δｇｉについては、数６より求められる。
【００４７】
【数６】
2016189676.tif 000008
数６の各記号は、Ｚｇｇは発電機母線ｇの駆動点インピーダンス、Ｚｇｉは発電機母線ｇと負荷母線ｉの伝達インピーダンス、Ｚｉｉは負荷母線ｉの駆動点インピーダンスを示す。
【００４８】
ＡＩｉは、バスｉと電力系統の全ての発電機の間の等価インピーダンスの平均である。ＡＩｉが高いバスほど、電圧降下が大きく不安定になりやすいバスであり、最も高いＡＩｉを持つバスが、電力を吸収あるいは供給するデバイスの導入候補地点となる。
【００４９】
次に、指標ランキングの演算部５４０で、指標の選択演算部５３０で選択された指標について、指標計算部５４１で計算し、その結果を結果格納部５４２に格納し、ランキングする。全ての指標について、ランキングが終わったかどうかを、全指標演算終了判定部５５０で判定する。全ての指標についてランキングが終わっている場合には、全特徴演算終了判定部５６０により終了判定を行い、そうでないならば、再び指標ランキングの演算部５４０に戻る。全特徴演算終了判定部５６０、全デバイス演算終了判定部５７０についても、上記と同様の終了判定を行う。全デバイス演算終了判定部５７０の終了判定で、終了の判定が出たならば、指標に基づく導入のための地点候補の組み合わせ演算部５８０にて、全ランキングを組み合わせて、電力を吸収あるいは供給するデバイスを導入するための地点候補を求める。
【００５０】
本例では、ＩＮＡとＡＩを基にした導入のための地点候補の特定方法について説明する。
【００５１】
指標ランキングの演算部５４０で、全母線について、ＩＮＡとＡＩを計算し、それぞれの指標のランキングを求める。次に、指標に基づく導入のための地点候補の組み合わせ演算部５８０で、ＩＮＡとＡＩのランキングを組み合わせることで、ＦＡＣＴＳ機器を導入するための地点候補を求めることができる。このように候補地点を求めてデバイスを導入することで、電力システム内の発電機群と負荷群の間の平均送電可能容量をより大きくし、かつバスの電圧降下をより小さくした安定性の高い制御が可能となる。
【００５２】
図６は、演算アルゴリズム５００に用いる演算データフォーマット６００の一例である。
【００５３】
図６は、送電線データフォーマット６１０、母線データフォーマット６２０、電力を吸収あるいは供給するデバイスのデータフォーマット６３０から構成される。
【００５４】
送電線データフォーマット６１０には、送電線番号、送電線の両端の母線番号、送電線インピーダンス、送電最大電力を格納する。母線データフォーマット６２０には、発電所母線・変電所母線・負荷母線の母線種別を格納する。電力を吸収あるいは供給するデバイス６３０には、ＦＡＣＴＳ機器、蓄電池、太陽光発電などのデバイスの種類を格納する。
【００５５】
図７は、本発明の実施例における、表示部（以下、ユーザインターフェース）の一例である。
【００５６】
ユーザインターフェース例７００は、「メニュー」タブ７１０、「ホーム」タブ７１１、「プロジェクト」タブ７１２、「ツール」タブ７１３、「設定」タブ７１４．「ヘルプ」タブ７１５、データインターフェースエリア７２０、「プロジェクト保存」ボタン７２１、「新しいプロジェクト」ボタン７２２、「電力系統情報」入力インターフェース７２３、「参照」ボタン７２４、「デバイス情報」入力インターフェース７２５、「データベースから選択」ボタン７２６、「導入地点候補」入力インターフェース７２７、「ダウンロード」ボタン７２８、電力系統・デバイス表示エリア７３０、「アップデート」ボタン７３１、「実行」ボタン７３２、「ズームイン」ボタン７３３、「ズームアウト」ボタン７３４、数値変更アイコン７３５、電力系統初期状態表示エリア７４０、導入するデバイス選択エリア７５０、デバイス導入後の電力系統表示エリア７６０から構成される。
【００５７】
ユーザは、「電力系統情報」入力インターフェース７２３と「デバイス情報」入力インターフェース７２５に、それぞれ計算に必要な情報を入力し、導入するデバイス選択エリア７５０を操作して、導入するデバイスを選択し、「実行」ボタン７３２を押して計算することで、その計算結果をデバイス導入後の電力系統表示エリア７６０に表示させることができる。
【符号の説明】
【００５８】
１００  演算フローチャート
１１０  デバイスの選択モジュール
１２０  デバイスの特徴の選択モジュール
１３０  指標の選択モジュール
１４０  指標ランキングの計算モジュール
１５０  指標に基づく導入地点候補の組み合わせモジュール
２００  発電機母線
２１０  変電所母線
２２０  負荷母線
２３０  送電線
２４０  電力を吸収あるいは供給するデバイス一覧
２５０  電力を吸収あるいは供給するデバイス
３００  変電所母線に設置された電力を吸収あるいは供給するデバイス
３１０  負荷母線に設置された電力を吸収あるいは供給するデバイス
３２０  母線間に設置された電力を吸収あるいは供給するデバイス
４００  演算ハードウェア
４１０  デバイスを導入するための地点候補を特定するデバイス
４１１  デバイスの選択モジュール
４１２  デバイスの特徴の選択モジュール
４１３  指標の選択モジュール
４１４  指標ランキングの計算モジュール
４１５  指標に基づく導入地点候補の組み合わせモジュール
４２０  演算処理装置
４３０  システムメモリ
４４０  ディスク記憶装置
４５１  オペレーティングシステム
４５２  データ
４５３  アプリケーション
４５４  モジュール
４６０  入出力インターフェース
４７０  ネットワークインターフェース
４８０  リモートコンピュータ
４９０  通信バス
５００  演算アルゴリズム
５０１  演算開始
５０２  演算終了
５１０  デバイスの選択演算部
５２０  デバイスの特徴の選択演算部
５３０  指標の選択演算部
５４０  指標ランキングの演算部
５４１  指標計算部
５４２  結果格納部
５５０  全指標演算終了判定部
５６０  全特徴演算終了判定部
５７０  全デバイス演算終了判定部
５８０  指標に基づく導入のための地点候補の組み合わせ演算部
６００  演算データフォーマット例
６１０  送電線データフォーマット
６２０  母線データフォーマット
６３０  電力を吸収あるいは供給するデバイスのデータフォーマット
７００  ユーザインターフェース例
７１０  「メニュー」タブ
７１１  「ホーム」タブ
７１２  「プロジェクト」タブ
７１３  「ツール」タブ
７１４  「設定」タブ
７１５  「ヘルプ」タブ
７２０  データインターフェースエリア
７２１  「プロジェクト保存」ボタン
７２２  「新しいプロジェクト」ボタン
７２３  「電力系統情報」入力インターフェース
７２４  「参照」ボタン
７２５  「デバイス情報」入力インターフェース
７２６  「データベースから選択」ボタン
７２７  「導入地点候補」入力インターフェース
７２８  「ダウンロード」ボタン
７３０  電力系統・デバイス表示エリア７３０
７３１  「アップデート」ボタン
７３２  「実行」ボタン
７３３  「ズームイン」ボタン
７３４  「ズームアウト」ボタン
７３５  数値変更アイコン
７４０  電力系統初期状態表示エリア
７５０  導入するデバイス選択エリア
７６０  デバイス導入後の電力系統表示エリア
８００  送電線に接続されるバス
８１０  デバイス導入前の送電線のインピーダンス
８２０  デバイス導入後の送電線のインピーダンス
８３０  デバイスが導入されたバス
９００  一つのみ母線種別を持つバス
９１０  デバイスが導入されたバス
９２０  複数の母線種別を持つバス
【図１】
2016189676.tif 000009
【図２】
2016189676.tif 000010
【図３】
2016189676.tif 000011
【図４】
2016189676.tif 000012
【図５】
2016189676.tif 000013
【図６】
2016189676.tif 000014
【図７】
2016189676.tif 000015
【図８】
2016189676.tif 000016
【図９】
2016189676.tif 000017
【国際調査報告】
2016189676.tif 000018
2016189676.tif 000019